(57)【要約】【課題】オーガ式除雪機による除雪作業の効率化と安定化の両立を図ること。【解決手段】左右の正転オーガ４１，４１と左右の逆転オーガ４２，４２とが、同軸上に配置されて、オーガハウジング２１内の幅方向に１列に並んだオーガ式除雪機１０である。該オーガハウジングの後部に且つ幅方向中央には、ブロアハウジング２２が設けられている。該ブロアハウジング内には、ブロア２４が設けられている。該左右の正転オーガは、少なくとも該ブロアハウジングの幅Ｗｂの全範囲にわたって位置している。該左右の逆転オーガは、該左右の正転オーガの両側に個別に位置し、且つ、該ブロアハウジングの幅よりも幅方向外側のみに位置している。【選択図】図３
2015031061.tif 000002
【特許請求の範囲】
【請求項１】
除雪時に上から前下方へ向かって回転する左右の正転オーガと、該左右の正転オーガに対し逆方向へ回転する左右の逆転オーガとが、同軸上に配置されてオーガハウジング内の幅方向に１列に並び、該オーガハウジングの後部に且つ幅方向中央にブロアハウジングが設けられ、該ブロアハウジング内にブロアが設けられたオーガ式除雪機において、
前記左右の正転オーガは、少なくとも前記ブロアハウジングの幅の全範囲にわたって位置し、
前記左右の逆転オーガは、前記左右の正転オーガの両側に個別に位置し、且つ、前記ブロアハウジングの幅よりも幅方向外側のみに位置していることを特徴とするオーガ式除雪機。
【請求項２】
前記左右の正転オーガと前記左右の逆転オーガとは、それぞれのオーガを個別に駆動するための各回転軸に対して、それぞれシャーボルトにより連結されていることを特徴とする請求項１記載のオーガ式除雪機。
【発明の詳細な説明】
【技術分野】
【０００１】
本発明はオーガ式除雪機のオーガ部分の改良技術に関する。
【背景技術】
【０００２】
除雪機のなかには、機体の前部にオーガハウジングを取り付けた型式のオーガ式除雪機がある。オーガハウジングはオーガを備える。該オーガ式除雪機は、前進走行しつつ前部のオーガによって雪を掻き集め、掻き集めた雪をブロアによってシュータを介して遠くへ飛ばすことができる。このようなオーガ式除雪機の技術は特許文献１から知られている。
【０００３】
特許文献１で知られているオーガ式除雪機は、左右の正転オーガと、該左右の正転オーガに対し逆方向へ回転する左右の逆転オーガとが、同軸上に配置されてオーガハウジング内の幅方向に１列に並んでいる。該オーガハウジングの後部に且つ幅方向中央にはブロアハウジングが設けられている。該ブロアハウジング内にはブロアが設けられている。
【０００４】
該左右の正転オーガと該左右の逆転オーガとは、互いに逆方向に回転し合っているので、左右の正転オーガに発生する上向きの反力を、左右の逆転オーガに発生する下向きの反力によって相殺することができる。このため、各オーガの浮き上がり現象を抑制して、オーガ除雪機による除雪作業の安定性を高めることができる。
【０００５】
しかし、オーガ除雪機には、除雪作業の安定性だけではなく、効率よく除雪できることが求められる。一層効率よく除雪するには、改良の余地がある。
【先行技術文献】
【特許文献】
【０００６】
【特許文献１】特開２００４−３６０３７９号公報
【発明の概要】
【発明が解決しようとする課題】
【０００７】
本発明は、オーガ式除雪機による除雪作業の効率化と安定化の両立を図ることができる技術を、提供することを課題とする。
【課題を解決するための手段】
【０００８】
請求項１に係る発明によれば、除雪時に上から前下方へ向かって回転する左右の正転オーガと、該左右の正転オーガに対し逆方向へ回転する左右の逆転オーガとが、同軸上に配置されてオーガハウジング内の幅方向に１列に並び、該オーガハウジングの後部に且つ幅方向中央にブロアハウジングが設けられ、該ブロアハウジング内にブロアが設けられたオーガ式除雪機において、前記左右の正転オーガは、少なくとも前記ブロアハウジングの幅の全範囲にわたって位置し、前記左右の逆転オーガは、前記左右の正転オーガの両側に個別に位置し、且つ、前記ブロアハウジングの幅よりも幅方向外側のみに位置していることを特徴とするオーガ式除雪機が提供される。
【０００９】
請求項２に記載のごとく、好ましくは、前記左右の正転オーガと前記左右の逆転オーガとは、それぞれのオーガを個別に駆動するための各回転軸に対して、それぞれシャーボルトにより連結されている。
【発明の効果】
【００１０】
請求項１に係る発明では、左右の逆転オーガ及び左右の正転オーガによって破砕された雪は、該左右の正転オーガによってオーガハウジングの幅方向中央へ集められ、且つ後方のブロアハウジングの入口に送られる。該左右の正転オーガは、少なくともブロアハウジングの幅の全範囲にわたって位置している。このため、オーガハウジングの幅方向中央へ集まった雪を、上から前下方へ向かって回転（正転）する該左右の正転オーガによって、ブロアハウジングの入口へ効率よく押し込むことができる。一方、左右の逆転オーガは、上から後下方へ向かって回転（逆転）するので、破砕した雪を前方へ送る。ここで、該左右の逆転オーガは、左右の正転オーガの両側に個別に位置し、且つ、ブロアハウジングの幅よりも幅方向外側のみに位置している。このため、オーガハウジングの幅方向中央へ集まった雪が、左右の逆転オーガによって、ブロアハウジングの入口から離れる方向に押し出されることはない。このように、左右の逆転オーガ及び左右の正転オーガによって破砕された雪を、ブロアハウジングの入口へ効率よく押し込んで、効率よく除雪することができる。
【００１１】
しかも、左右の正転オーガと左右の逆転オーガとは、互いに逆方向に回転し合っている。このため、除雪時に、左右の正転オーガに発生する上向きの反力を、左右の逆転オーガに発生する下向きの反力によって相殺することができる。この結果、左右の正転オーガの浮き上がり現象を抑制することができるので、オーガ式除雪機による除雪作業の安定性を高めることができる。
【００１２】
このように、請求項１に係る発明では、オーガ式除雪機による除雪作業の効率化と安定化の両立を図ることができる。
【００１３】
請求項２に係る発明では、左右の正転オーガと左右の逆転オーガとは、それぞれのオーガを個別に駆動するための各回転軸に対して、それぞれシャーボルトにより連結されている。該各シャーボルトを個別に設けることによって、個々のシャーボルトにかかる負荷を分散することができる。このため、該各シャーボルトを小型にすることができるので、該シャーボルトを交換しやすい。
【００１４】
しかも、左右の正転オーガと左右の逆転オーガとが、互いに逆方向に回転し合っている。正逆一方のオーガによる異物の噛み込み現象が発生することによって、該一方のオーガの回転が阻害されそうになった場合に、他方のオーガが逆方向に回転しているので、異物の噛み込み現象を解消しやすい。このため、異物の噛み込み現象の発生を抑制することにより、シャーボルトの交換頻度を低減できる。
【図面の簡単な説明】
【００１５】
【図１】本発明に係るオーガ式除雪機の側面図である。
【図２】図１に示されるオーガ駆動系をオーガ式除雪機の正面から見た模式図である。
【図３】図１に示されるオーガハウジング及びオーガをオーガ式除雪機の正面から見た図である。
【図４】図２に示される正転オーガが回転軸に対してシャーボルトにより連結されている構成の断面図である。
【発明を実施するための形態】
【００１６】
本発明を実施するための形態を添付図に基づいて以下に説明する。なお、「前」、「後」、「左」、「右」、「上」、「下」は作業者から見た方向に従い、Ｆｒは前側、Ｒｒは後側、Ｌｅは左側、Ｒｉは右側を示す。
【実施例】
【００１７】
実施例に係るオーガ式除雪機について説明する。図１に示されるように、オーガ式除雪機１０は、機体１１（車体フレーム１１）に走行装置１２と除雪作業部１３と動力源１４とを備えた自走式除雪機である。機体１１の後部から後方上部へ操作ハンドル１５が延びている。作業者は、オーガ式除雪機１０（以下、単に「除雪機１０」という。）に連れて歩行しながら、操作ハンドル１５によって該除雪機１０を操作することができる。
【００１８】
該除雪作業部１３は、オーガハウジング２１、該オーガハウジング２１の後部に且つ幅方向中央に一体に設けられたブロアハウジング２２、該オーガハウジング２１内に設けられたオーガ２３、該ブロアハウジング２２内に設けられたブロア２４、及び該ブロアハウジング２２から上方へ延びたシュータ２５からなる。
【００１９】
該動力源１４は、走行装置１２と除雪作業部１３を駆動するものであり、例えばエンジンによって構成される。該動力源１４の動力は、駆動プーリ３１と伝動ベルト３２と従動プーリ３３と伝動軸３４の経路によって、ブロア２４に伝わるとともに、該伝動軸３４からトランスミッション３５を介してオーガ２３に伝わる。オーガ２３によって掻き集めた雪を、ブロア２４によってシュータ２５を介して遠くへ飛ばすことができる。なお、走行装置１２は、電動モータによって駆動される構成であってもよい。
【００２０】
以下、該除雪作業部１３について詳しく説明する。ブロアハウジング２２は、オーガハウジング２１の背面に入口２２ａ（開口２２ａ）を有した有底円筒状の部材であって、機体１１に取り付けられている。ブロア２４は、ブロアハウジング２２内において前記伝動軸３４に取り付けられている。該伝動軸３４の先端部には、トランスミッション３５の入力軸６１が連結されている。該トランスミッション３５は、オーガハウジング２１内に位置している。
【００２１】
図２及び図３に示されるように、オーガ２３は、除雪機１０による除雪時に、上から前下方（矢印Ｒａ方向）へ向かって回転する左右の正転オーガ４１，４１と、該左右の正転オーガ４１，４１に対し逆方向（矢印Ｒｂ方向）へ回転する左右の逆転オーガ４２，４２とからなる。
【００２２】
以下、オーガ２３の回転方向については、除雪機１０による除雪時に、上から前下方、つまり矢印Ｒａ方向へ向かって（図１の反時計回りに）回転することを「正転」という。また、該左右の正転オーガ４１，４１に対して逆方向、つまり矢印Ｒｂ方向（図１の時計回りの方向）へ回転することを「逆転」という。
【００２３】
該左右の正転オーガ４１，４１は、左右の正転軸４３，４３に設けられたスパイラル状の部材である。該左右の正転オーガ４１，４１のスパイラル方向は、該左右の正転オーガ４１，４１が正転することにより、破砕した雪をオーガハウジング２１の幅方向中央に寄せ集める方向である。
【００２４】
該左右の逆転オーガ４２，４２は、左右の逆転軸４４，４４に設けられたスパイラル状の部材である。該左右の逆転オーガ４２，４２のスパイラル方向は、該左右の逆転オーガ４２，４２が逆転することにより、破砕した雪をオーガハウジング２１の幅方向中央に寄せ集める方向である。
【００２５】
該左右の正転軸４３，４３と該左右の逆転オーガ４２，４２とは、同軸上（図３に示される軸線Ｘｓ上）に配置されてオーガハウジング２１内の幅方向に１列に並んでいる。つまり、該左右の正転軸４３，４３と該左右の逆転軸４４，４４とは、互いに同軸上に配置され、且つ機体１１（図１参照）の前部に位置している。
【００２６】
図２に示されるように、該左右の逆転軸４４，４４は、トランスミッション３５の逆転用駆動軸６２に相対回転可能に嵌合した、パイプ軸によって構成される。該逆転用駆動軸６２は、オーガハウジング２１の幅方向に延びており、入力軸６１に駆動力を入力することによって、逆転可能である。該逆転用駆動軸６２の軸長手方向の両端部には、左右の逆転用回転軸６３，６３が連結されている。該左右の逆転用回転軸６３，６３には、左右の逆転用シャーボルト６４，６４によって、左右の逆転軸４４，４４が連結されている。
【００２７】
さらに、トランスミッション３５は、左右の正転用駆動軸６５，６５を有する。該左右の正転用駆動軸６５，６５は、逆転用駆動軸６２に相対回転可能に嵌合したパイプ軸によって構成されており、入力軸６１に駆動力を入力することによって、正転可能である。該左右の正転用駆動軸６５，６５には、左右の正転用回転軸６６，６６が連結されている。該左右の正転軸４３，４３は、該左右の正転用駆動軸６５，６５に相対回転可能に嵌合した、パイプ軸によって構成される。図２及び図４に示されるように、該左右の正転用回転軸６６，６６には、左右の正転用シャーボルト６７，６７によって、左右の正転軸４３，４３が連結されている。
【００２８】
該各シャーボルト６４，６４，６７，６７は、予め設定された剪断力が作用した場合に破断可能な部材である。
【００２９】
図３に示されるように、該ブロアハウジング２２は、オーガハウジング２１の幅方向中央、つまり幅中心ＣＬに設けられている。
【００３０】
該左右の正転オーガ４１，４１と該左右の逆転オーガ４２，４２の外径Ｄｇは、全て同一である。該左右の正転オーガ４１，４１と該左右の逆転オーガ４２，４２の幅Ｌｇは、全て同一である。該左右の正転オーガ４１，４１と該左右の逆転オーガ４２，４２の回転速度は、全て同一である。
【００３１】
ブロアハウジング２２は、正面視真円の円筒状に形成されている。このため、ブロアハウジング２２の入口２２ａも正面視真円状に形成されている。オーガハウジング２１を正面から見て、ブロアハウジング２２の幅Ｗｂは、該入口２２ａの径と同一である。
【００３２】
左右の正転オーガ４１，４１は、オーガハウジング２１の幅中心ＣＬに対して、幅方向に対象に位置するとともに、該幅方向に間隔Ｌｓだけ離れて位置している。該間隔Ｌｓの大きさは、左右の正転オーガ４１，４１の除雪特性を勘案して決定される。
【００３３】
左右の正転オーガ４１，４１は、少なくともブロアハウジング２２の幅Ｗｂ（オーガハウジング２１の幅方向に沿った大きさ）の全範囲にわたって位置している。つまり、オーガハウジング２１を正面から見て、左の正転オーガ４１の左端から右の正転オーガ４１の右端までの総距離Ｌｔは、ブロアハウジング２２の幅Ｗｂに対して同一又は大きい。該総距離Ｌｔは、左右の正転オーガ４１，４１の各幅Ｌｇ，Ｌｇに、該左右の正転オーガ４１，４１間の間隔Ｌｓを加えた大きさである（Ｌｔ＝Ｌｇ＋Ｌｇ＋Ｌｓ）。
【００３４】
左右の逆転オーガ４２，４２は、オーガハウジング２１の幅中心ＣＬに対して、幅方向に対象に位置している。つまり、該左右の逆転オーガ４２，４２は、左右の正転オーガ４１，４１の両側に個別に位置し、且つ、ブロアハウジング２２の幅Ｗｂよりも幅方向外側のみに位置している。
【００３５】
以上の説明をまとめると、次の通りである。左右の逆転オーガ４２，４２及び左右の正転オーガ４１，４１によって破砕された雪は、該左右の正転オーガ４１，４１によってオーガハウジング２１の幅方向中央へ集められ、且つ後方のブロアハウジング２２の入口２２ａに送られる。
【００３６】
該左右の正転オーガ４１，４１は、少なくともブロアハウジング２２の幅Ｗｂの全範囲にわたって位置している。このため、オーガハウジング２１の幅方向中央へ集まった雪を、上から前下方へ向かって回転（正転）する該左右の正転オーガ４１，４１によって、ブロアハウジング２２の入口２２ａへ効率よく押し込むことができる。
【００３７】
一方、左右の逆転オーガ４２，４２は、上から後下方へ向かって回転（逆転）するので、破砕した雪を前方へ送る。ここで、該左右の逆転オーガ４２，４２は、左右の正転オーガ４１，４１の両側に個別に位置し、且つ、ブロアハウジング２２の幅Ｗｂよりも幅方向外側のみに位置している。このため、オーガハウジング２１の幅方向中央へ集まった雪が、左右の逆転オーガ４２，４２によって、ブロアハウジング２２の入口２２ａから離れる方向に押し出されることはない。
【００３８】
このように、左右の逆転オーガ４２，４２及び左右の正転オーガ４１，４１によって破砕された雪を、ブロアハウジング２２の入口２２ａへ効率よく押し込んで、効率よく除雪することができる。
【００３９】
しかも、左右の正転オーガ４１，４１と左右の逆転オーガ４２，４２とは、互いに逆方向に回転し合っている。このため、除雪時に、左右の正転オーガ４１，４１に発生する上向きの反力を、左右の逆転オーガ４２，４２に発生する下向きの反力によって相殺することができる。この結果、左右の正転オーガ４１，４１の浮き上がり現象を抑制することができるので、除雪機１０による除雪作業の安定性を高めることができる。
【００４０】
さらには、積雪場所によっては、凍り付いているような固い雪質の部分がある。固い積雪部分を除雪するときに、除雪機１０を単に直進させて除雪するのでは、左右の逆転オーガ４２，４２に発生する上向きの反力が大きいので、該左右の逆転オーガ４２，４２に浮き上がり現象が発生しやすい。この結果、除雪機１０が幅方向にふらつくのでは、直進性を高める上で不利である。
【００４１】
これに対し、該左右の逆転オーガ４２，４２の浮き上がり現象を抑制しつつ、固い積雪部分を除雪するために、該積雪部分にオーガ２３の左半分または右半分だけを掛ける、いわゆる片掛け作業をすることが多い。つまり、該片掛け作業によって、積雪部分を端から順にオーガ２３によって削り取っていく。
【００４２】
本実施例では、左右の逆転オーガ４２，４２を左右の正転オーガ４１，４１よりも幅方向外側に配置したので、反力によるオーガ２３全体の浮き上がり現象を抑制することができる。従って、除雪作業時における除雪機１０の直進性を高めることができるので、除雪作業の安定性を高めることができる。
【００４３】
このように、本実施例では、オーガ式除雪機１０による除雪作業の効率化と安定化の両立を図ることができる。
【００４４】
図２及び図４に示されるように、左右の正転オーガ４１，４１と左右の逆転オーガ４２，４２とは、該それぞれのオーガ４１，４１，４２，４２を個別に駆動するための各回転軸６３，６３，６６，６６に対して、それぞれシャーボルト６４，６４，６７，６７により連結されている。
【００４５】
該各シャーボルト６４，６４，６７，６７を個別に設けることによって、個々のシャーボルト６４，６４，６７，６７にかかる負荷を分散することができる。このため、該各シャーボルト６４，６４，６７，６７を小型にすることができるので、該シャーボルト６４，６４，６７，６７を交換しやすい。
【００４６】
しかも、左右の正転オーガ４１，４１と左右の逆転オーガ４２，４２とは、互いに逆方向に回転し合っている。正逆一方のオーガ４１，４１による異物の噛み込み現象が発生することによって、該一方のオーガ４１，４１の回転が阻害されそうになった場合に、他方のオーガ４２，４２が逆方向に回転しているので、異物の噛み込み現象を解消しやすい。このため、異物の噛み込み現象の発生を抑制することにより、シャーボルト６４，６４，６７，６７の交換頻度を低減できる。
【産業上の利用可能性】
【００４７】
本発明のオーガ式除雪機１０は、少なくともオーガ２３をエンジン１４によって駆動する除雪機に好適である。
【符号の説明】
【００４８】
１０  オーガ式除雪機
２１  オーガハウジング
２２  ブロアハウジング
２３  オーガ
２４  ブロア
４１  正転オーガ
４２  逆転オーガ
６１  入力軸
６２  逆転用駆動軸
６３  逆転オーガを駆動する回転軸（逆転用回転軸）
６４  逆転用シャーボルト
６５  正転用駆動軸
６６  正転オーガを駆動する（正転用回転軸）
６７  正転用シャーボルト
Ｒａ  正転方向（上から前下方へ向かう方向）
Ｒｂ  逆転方向（逆方向）
Ｗｂ  ブロアハウジングの幅
【図１】
2015031061.tif 000003
【図２】
2015031061.tif 000004
【図３】
2015031061.tif 000005
【図４】
2015031061.tif 000006